(57)【要約】【課題】ある検査の情報を表示させるときに当該検査と関連する過去の検査情報を簡単に参照できる検査画像表示制御方法を提供する。【解決手段】検査画像表示制御方法によれば、プロセッサ１１に、複数の検査部位を含む検査対象のモデルの画像を第１の表示領域Ｇ１に表示させ、第１の表示領域Ｇ１に表示されたモデルの画像中の複数の検査部位の中から選択された少なくとも１つの検査部位に関連する第１の検査情報を第２の表示領域Ｇ２に表示させ、モデルに関連する第２の検査情報として、第１の検査情報よりも過去の検査情報を、第１の表示領域Ｇ１及び第２の表示領域Ｇ２と同時に第３の表示領域Ｇ３に表示させる。【選択図】図７
2019200463.tif 000002
【特許請求の範囲】
【請求項１】
プロセッサに、
複数の検査部位を含む検査対象のモデルの画像を第１の表示領域に表示させ、
前記モデルの画像中の前記複数の検査部位の中から選択された少なくとも１つの検査部位に関連する第１の検査情報を第２の表示領域に表示させ、
前記モデルに関連する第２の検査情報として、前記第１の検査情報よりも過去の検査情報を、前記第１の表示領域及び前記第２の表示領域と同時に第３の表示領域に表示させる、
検査画像表示制御方法。
【請求項２】
前記第２の検査情報は、前記選択された少なくとも一つの検査部位に関連する画像を含む、請求項１に記載の検査画像表示制御方法。
【請求項３】
前記第２の検査情報は、前記過去の検査情報の中において、最も新しい画像であって、所定の評価情報において所定のレベル以下の評価が付けられた画像を含む、請求項２に記載の検査画像表示制御方法。
【請求項４】
前記第２の検査情報は、前記過去の検査情報の中から、所定の評価情報に基づいて選択された画像を含む、請求項２に記載の検査画像表示制御方法。
【請求項５】
前記第２の検査情報は、前記評価情報の中で所定のレベル以下の評価が付けられた画像を含む、請求項４に記載の検査画像表示制御方法。
【請求項６】
前記第２の検査情報は、前記選択された少なくとも一つの検査部位において欠陥領域を含む画像を含む、請求項２に記載の検査画像表示制御方法。
【請求項７】
前記第２の検査情報は、前記過去の検査情報の中において、最も新しい画像を含む、請求項２に記載の検査画像表示制御方法。
【請求項８】
前記第２の検査情報は、前記検査対象に関連する検査レポートの中から抽出された画像を含む、請求項２に記載の検査画像表示制御方法。
【請求項９】
前記検査対象に関連するレポートの中から抽出された画像は、前記第３の表示領域に表示されたリンク情報が選択されたときに、表示される、請求項８に記載の検査画像表示制御方法。
【請求項１０】
前記第２の検査情報は、前記第２の表示領域において選択された検査情報に含まれる画像に写る部分に近い部分の画像を含む、請求項２に記載の検査画像表示制御方法。
【請求項１１】
前記プロセッサに、前記検査対象に関連する検査レポートの中から抽出された画像を、第４の表示領域に表示させる、請求項１に記載の検査画像表示制御方法。
【請求項１２】
前記第１の検査情報は、前記第１の表示領域において選択された少なくとも１つの検査部位に関連する画像を含む、請求項１に記載の検査画像表示制御方法。
【請求項１３】
前記第１の検査情報は、所定の条件で絞り込まれた情報である、請求項１に記載の検査画像表示制御方法。
【請求項１４】
前記所定の条件は、前記第１の検査情報に含まれる評価情報により規定される、請求項１３に記載の検査画像表示制御方法。
【請求項１５】
前記所定の条件は、前記第１の検査情報に含まれる日付情報により規定される、請求項１３に記載の検査画像表示制御方法。
【請求項１６】
前記プロセッサに、前記第１の表示領域に表示された前記複数の検査部位の中から選択された１又は２以上の検査部位又は前記第２の表示領域に表示された前記第１の検査情報の中から選択された１又は２以上の検査情報に基づいて、検査レポートを作成させる、請求項１に記載の検査画像表示制御方法。
【請求項１７】
前記第２の検査情報は、ネットワークに接続されたサーバに記憶されている、請求項１に記載の検査画像表示制御方法。
【請求項１８】
プロセッサを有する検査画像表示制御装置であって、
前記プロセッサは、
複数の検査部位を含む検査対象のモデルの画像を表示装置に第１の表示領域に表示させ、
前記モデルの画像中の前記複数の検査部位の中から選択された少なくとも１つの検査部位に関連する第１の検査情報を前記表示装置に第２の表示領域に表示させ、
前記モデルに関連する第２の検査情報として、前記第１の検査情報よりも過去の検査情報を、前記第１の表示領域及び前記第２の表示領域と同時に第３の表示領域に表示させる、検査画像表示制御装置。
【請求項１９】
サーバと端末装置とを含む検査画像表示制御システムであって、
前記サーバは、請求項１８に記載の検査画像表示制御装置を有し、
前記端末装置は、前記表示装置を有し、
前記サーバと前記端末装置は、前記ネットワークにより通信可能に接続されている、
検査画像表示制御システム。
【請求項２０】
前記ネットワークは、インターネットを含み、
前記サーバは、前記インターネットに接続されている、請求項１９に記載の検査画像表示制御システム。
【発明の詳細な説明】
【技術分野】
【０００１】
本発明は、検査画像表示制御方法、検査画像表示制御装置及び検査画像表示制御システムに関する。
【背景技術】
【０００２】
従来より、各種装置、各種設備などは、定期的にあるいは非定期的に検査される。検査により得られた検査データは、検査者によって評価され、記録され、検査対象の修理の要否、故障予測などに使用される。
【０００３】
検査対象は、複雑な構造を有する場合もある。例えば、発電所、航空機などのタービンシステムは複雑な構造を有しており、検査データは、画像情報を含み、検査データのデータ量も多い。
【０００４】
例えば特表２０１６−５１０４６２号公報には、検査データを効率的に管理するためのシステムが提案されている。その提案に係るシステムでは、膨大なデータの中から対象データをアクセスするために、検査データは、検査対象のモデルに関連付けられてフィルタリングされる。
【先行技術文献】
【特許文献】
【０００５】
【特許文献１】特表２０１６−５１０４６２号公報
【発明の概要】
【発明が解決しようとする課題】
【０００６】
しかし、検査データに対する評価は検査者などによって異なるため、評価結果にばらつきが生じて、評価結果の精度が低くなってしまう場合がある。
【０００７】
そこで、検査者がある検査について評価をするときに、同じの検査対象の過去の検査データを参照して、過去の評価を参考にすれば、評価結果のばらつきを小さくすることが期待できる。
【０００８】
ところが、ユーザが、ある検査において、ある部位の画像を見ているときに、その部位の過去の検査データを見るためには、データベースに別途アクセスしてその部位の検査データを探し出すなどしなければならない。よって、過去の検査データを見ることは、煩雑な手順あるいは煩雑な操作などが必要となり、検査者にとっては簡単ではない。
【０００９】
そこで、本発明は、ある検査の情報を表示させるときに当該検査と関連する過去の検査情報を簡単に参照できる検査画像表示制御方法、検査画像表示制御装置及び検査画像表示制御システムを提供することを目的とする。
【課題を解決するための手段】
【００１０】
本発明の一態様の検査画像表示制御方法は、プロセッサに、複数の検査部位を含む検査対象のモデルの画像を第１の表示領域に表示させ、前記モデルの画像中の前記複数の検査部位の中から選択された少なくとも１つの検査部位に関連する第１の検査情報を第２の表示領域に表示させ、前記モデルに関連する第２の検査情報として、前記第１の検査情報よりも過去の検査情報を、前記第１の表示領域及び前記第２の表示領域と同時に第３の表示領域に表示させる。
【００１１】
本発明の一態様の検査画像表示制御装置は、プロセッサを有する検査画像表示制御装置であって、前記プロセッサは、複数の検査部位を含む検査対象のモデルの画像を表示装置に第１の表示領域に表示させ、前記モデルの画像中の前記複数の検査部位の中から選択された少なくとも１つの検査部位に関連する第１の検査情報を前記表示装置に第２の表示領域に表示させ、前記モデルに関連する第２の検査情報として、前記第１の検査情報よりも過去の検査情報を、前記第１の表示領域及び前記第２の表示領域と同時に第３の表示領域に表示させる。
【００１２】
本発明の一態様の検査画像表示制御システムは、サーバと端末装置とを含む検査画像表示制御システムであって、前記サーバは、一態様の検査画像表示制御装置を有し、前記端末装置は、前記表示装置を有し、前記サーバと前記端末装置は、前記ネットワークにより通信可能に接続されている。
【発明の効果】
【００１３】
本発明によれば、ある検査の情報を表示させるときに当該検査と関連する過去の検査情報を簡単に参照できる検査画像表示制御方法、検査画像表示制御装置及び検査画像表示制御システムを提供することができる。
【図面の簡単な説明】
【００１４】
【図１】本発明の実施の形態に係わる検査画像表示制御システムの構成図である。
【図２】本発明の実施の形態に係わるサーバの構成を示すブロック図である。
【図３】本発明の実施の形態に係わる、検査対象の検査部位を説明するための図である。
【図４】本発明の実施の形態に係わる、検査データを格納する複数のフォルダのフォルダツリー構造を示す図である。
【図５】本発明の実施の形態に係わる、評価情報を含むファイル名の構成例を示す図である。
【図６】本発明の実施の形態に係わる、ユーザが使用する端末装置における処理の流れの例を示すフローチャートである。
【図７】本発明の実施の形態に係わる、サーバにおける、タブレット端末からの検査データのデータ要求コマンドに応じた処理の流れの例を示すフローチャートである。
【図８】本発明の実施の形態に係わる、サーバから受信した画像データに基づいて、タブレット端末において表示される検査データ表示画面の構成を示す図である。
【図９】本発明の実施の形態に係わる、検査データ表示画面の具体的な構成例を示す図である。
【図１０】本発明の実施の形態に係わる、図７における画像データの生成処理の流れの例を示すフローチャートである。
【図１１】本発明の実施の形態に係わる、第４の表示領域を含む検査データ表示画面の具体的な構成例を示す図である。
【発明を実施するための形態】
【００１５】
以下、図面を参照して本発明の実施の形態を説明する。
（構成）
図１は、本実施の形態に係わる検査画像表示制御システムの構成図である。以下、検査データが、内視鏡装置により検査対象を検査して得られた内視鏡画像を含む例を用いて、本実施の形態を説明する。
【００１６】
本実施の形態の検査画像表示制御システム１は、内視鏡装置２と、ネットワーク３を介して接続されたサーバ５とを含んでいる。ネットワーク３は、インターネット３ａを含む。  
内視鏡装置２は、細長の挿入部２ａを有し、挿入部２ａの先端部に設けられた観察窓を通して取得した内視鏡画像を、モニタ２ｂに表示することができる。
【００１７】
検査者であるユーザは、内視鏡装置２の挿入部２ａを検査対象４内に挿入して、検査対象４内の内視鏡画像を見て検査対象４の検査を行うことができる。  
さらに、ユーザは、内視鏡画像を含む検査データを、メモリカードなどの記憶媒体２ｃに記録することができる。記憶媒体２ｃは、内視鏡装置２に対して着脱可能である。ユーザは、検査対象内の画像として、静止画あるいは動画のいずれでも記憶媒体２ｃに記録することができる。
【００１８】
ユーザは、その検査により得られた検査データをクラウド５ａ上のサーバ５にアップロードすることができる。内視鏡装置２に通信機能が設けられている場合は、ユーザは、その通信機能を利用して、記憶媒体２ｃに記録された検査データを、内視鏡装置２からサーバ５にアップロードすることができる。
【００１９】
なお、ユーザは、内視鏡画像を含む検査データが記録された記憶媒体２ｃを、図示しないパーソナルコンピュータ（以下、ＰＣという）に装着して、ＰＣから、検査データをサーバ５にアップロードしてもよい。
【００２０】
検査データは、検査対象のシリアル番号、検査日付、複数の内視鏡画像、及び各内視鏡画像に関連する情報を含み、検査識別子（以下、検査ＩＤという）と共に、サーバ５の記憶装置に格納される。サーバ５は、所謂クラウド５ａ上に存在し、検査者などのユーザは、検査データをクラウド５ａのサーバ５にアップロードすることができると共に、検査データの確認をしたり、編集をしたり、及び検査レポートの作成をしたり等、することもできる。
【００２１】
図２は、サーバ５の構成を示すブロック図である。  
サーバ５は、プロセッサ１１と、記憶装置１２と、通信ユニット１３とを含む。プロセッサ１１は、中央処置装置（以下、ＣＰＵという）、ＲＯＭ、ＲＡＭなどのハードウエア回路を有する。
【００２２】
なお、プロセッサ１１は、ＣＰＵに代えて、あるいはＣＰＵとは別のＦＰＧＡ（Ｆｉｅｌｄ  Ｐｒｏｇｒａｍｍａｂｌｅ  Ｇａｔｅ  Ａｒｒａｙ）などのハードウエアを含んでもよい。
【００２３】
記憶装置１２は、各種ソフトウエアプログラムを記憶している。各ソフトウエアプログラムは、プロセッサ１１のＣＰＵにより読み出されて実行される。  
なお、各種プログラムの全部あるいは一部は、プロセッサ１１のＲＯＭに格納されていてもよい。
【００２４】
記憶装置１２には、データ管理プログラム１２ａ、レポート作成プログラム１２ｂ、及び検査画像表示制御プログラム１２ｃなどが記憶されている。  
さらに、記憶装置１２は、検査データを保存する検査データ保存部１２ｄを含んでいる。
【００２５】
データ管理プログラム１２ａは、アップロードされた検査データを管理するソフトウエアプログラムである。  
レポート作成プログラム１２ｂは、ユーザにより選択された検査データの検査レポートを作成するソフトウエアプログラムである。
【００２６】
検査画像表示制御プログラム１２ｃは、検査データを表示する画面を生成するソフトウエアプログラムである。後述する検査データ表示画面Ｇは、この検査画像表示制御プログラム１２ｃにより生成される。
【００２７】
検査データ保存部１２ｄは、アップロードされた検査データを記憶して保存する記憶領域である。  
通信ユニット１３は、サーバ５がネットワーク３を介して外部機器との間で通信を行うための回路である。
【００２８】
サーバ５の検査データ保存部１２ｄに記憶された検査データは、所定のセキュリティ環境内で、外部機器により、通信ユニット１３を介してアクセス可能である。ここでは、ネットワーク３は、インターネット３ａに加えて、ＬＡＮ、ＷＩＦＩなどの通信網を含む。
【００２９】
図１に戻り、タブレット端末６は、ＣＰＵなどのプロセッサ６ａを含む。さらに、タブレット端末６は、表示器６ｂと、図示しない無線通信回路を有している。よって、プロセッサ６ａは、ユーザによるコマンド入力に応じた処理を実行可能である。  
なお、スマートフォン７も、タブレット端末６と同様に、プロセッサと表示器を有している。
【００３０】
従って、サーバ５のデータ管理プログラム１２ａは、通信機能を有する内視鏡装置、タブレット端末６、スマートフォン７あるいはＰＣ等の外部機器からのデータ要求コマンドに応じて、検査データを読み出す。検査画像表示制御プログラム１２ｃは、読み出した検査データを用いて、検査データ表示画面Ｇの表示データを生成する。データ管理プログラム１２ａは、データ要求コマンドを送信した外部機器へ表示データを送信する。  
【００３１】
すなわち、ユーザは、クラウド５ａ上に登録されている検査データを見たいとき、ユーザは、どこからでもクラウド５ａ上のデータ管理画面にアクセスして、検査データを見ることができる。
【００３２】
例えば、ユーザは、クラウド５ａ上の所定のデータ管理画面にアクセスして、データ管理プログラム１２ａにより、検査データリストをタブレット端末６などの外部機器の表示装置上に表示させる。検査データリストには、複数の検査データがリスト形式で並べられて表示されている。検査データリストに含まれる各検査データは、サーバ５に登録されている検査データを特定するための、検査ＩＤ、検査対象、シリアル番号、検査日などの情報を含む。
【００３３】
ユーザは、表示された検査データリストの中から、１つの検査データを選択すると、その検査データを要求するデータ要求コマンドがサーバ５に送信される。  
ユーザが、検査データリスト中のある検査ＩＤを指定して、データ要求コマンドを、タブレット端末６などの端末装置からクラウド５ａ上のサーバ５に送信すると、データ管理プログラム１２ａは、そのデータ要求コマンドにおいて指定された検査データを読み出し、外部機器へ送信する。
【００３４】
検査データリスト中から選択された検査データは、例えば、シリアル番号等により特定される検査対象についての、ある日時において行われた検査において得られた画像情報などである。
【００３５】
以上のように、ユーザは、内視鏡装置２を用いて得られた検査データを、クラウド５ａ上のサーバ５にアップロードすることができると共に、登録された検査データを参照することができる。
【００３６】
また、ユーザは、外部機器を用いて、検査データを編集したり、検査データの検査レポートを作成したりすることもできる。  
ここで、検査対象における複数の検査部位の例について説明する。
【００３７】
図３は、検査対象の検査部位を説明するための図である。図３は、発電用のガスタービンエンジンの構成を示す。検査対象４としてのガスタービンエンジンは、取り入れた空気を圧縮する圧縮機ＣＭと、圧縮機ＣＭからの高圧の気体に燃料を噴射して燃焼させる燃焼機ＢＭと、圧縮機ＣＭと燃焼機ＢＭを経た高温高圧ガスを利用して回転軸ＲＭの回転の動力を取り出すタービンＴＭを有している。
【００３８】
各検査部位は、１つの検査単位であり、ここでは、圧縮機ＣＭは、３つの検査単位に分けられ、燃焼機ＢＭとタービンＴＭは、それぞれ１つの検査単位となっている。  
検査者であるユーザは、ガスタービンエンジンの中に内視鏡装置２の挿入部２ａを挿入して、ガスタービンエンジンの各検査部位を検査する。ユーザは、検査中に得られた内視鏡画像を、検査データとして記憶媒体２ｃに記録することができる。
【００３９】
検査データは、検査対象の検査部位毎のフォルダに格納される。検査対象は、複数の検査部位を有し、内視鏡画像は、その内視鏡画像が撮られた検査部位に対応するフォルダに格納される。
【００４０】
複数のフォルダが、検査対象毎に、ユーザなどにより予めに決められて設定される。複数のフォルダの構成は、検査対象の構成あるいは構造に応じて、ユーザなどにより予めに決められる。検査対象の構成あるいは構造は、検査対象であるタービンエンジンのモデル、型番などにより異なるため、ユーザは、検査する検査対象に対応する複数のフォルダを指定してから、検査を行う。
【００４１】
検査中、ユーザは、検査部位に対応するフォルダを指定してから、内視鏡画像の記録を行う。例えば、検査部位を指定するフォルダを選択した後に、記録ボタンなどのコマンドを選択すると、選択されたフォルダに、内視鏡画像を記憶することができる。
【００４２】
ある検査部位の検査が終了した後は、次の検査部位に対応するフォルダを指定してから、ある検査部位の検査を行う。内視鏡画像は、指定されたフォルダに格納される。  
図４は、検査データを格納する複数のフォルダのフォルダツリー構造を示す図である。
【００４３】
フォルダ構成は、検査対象の構成あるいは構造に応じて決められる。ここでは、１つのフォルダは、１つの検査部位すなわち１つの検査単位に対して設けられている。本実施の形態では、５つのフォルダが、ガスタービンエンジンについて予め分割された５つの検査部位に対応している。ユーザは、例えば、検査に先だってフォルダ構成情報をサーバ５からダウンロードして記憶媒体２ｃに格納する。
【００４４】
よって、検査データが格納されるフォルダ構成は、例えば、ガスタービンエンジンの型番、モデルあるいはシリアル番号に応じて作成される。そのフォルダ構成を有する複数のフォルダが、記憶媒体２ｃに格納される。そのフォルダ構成を有する複数のフォルダの情報は、後述する検査対象の構成を示すモデルの画像情報と共に、外部から取得され、記憶媒体２ｃに予め格納される。
【００４５】
ここでは、説明を簡単にするために、検査対象の検査単位を、図２に示したタービンエンジンの各検査部位Ａ１〜Ａ５とした例を説明する。図３のフォルダツリーは、フォルダＦ１と、フォルダＦ１の下位の階層に設けられた５つのフォルダＦ１１〜Ｆ１５とを有する。
【００４６】
なお、複数のフォルダは、図３において点線で示すように、各フォルダＦ１１〜Ｆ１５の下位にさらに１又は２以上のフォルダを有するようにしてもよい。  
各検査部位を１つの検査単位としたとき、その検査部位において撮られた１又は２以上の内視鏡画像は、その検査部位に対応する１つのフォルダに格納される。
【００４７】
ユーザは、検査対象の検査部位Ａ１を検査するとき、検査データの格納先として、記憶媒体２ｃ内のフォルダＦ１１を、予め選択あるいは指定する。ユーザが、撮像した内視鏡画像の検査データは、後述する所定のファイル名が付けられて、その選択あるいは指定したフォルダＦ１１内に格納される。
【００４８】
検査部位Ａ１の検査が終了すると、ユーザは、検査部位Ａ２を次に検査するとき、検査データの格納先として、フォルダＦ１２を、予め選択あるいは指定する。その後、ユーザが、撮像した内視鏡画像の検査データは、所定のファイル名が付けられて、その選択あるいは指定したフォルダＦ１２に格納される。
【００４９】
以下、同様に、ユーザは、検査データの格納先を予め選択あるいは指定してから、内視鏡画像を取得すると、取得された内視鏡画像の検査データは、その選択あるいは指定したフォルダに格納される。
【００５０】
ユーザは、内視鏡装置２のモニタに表示される内視鏡画像を見て、評価情報を付加して、内視鏡画像を記録する。  
例えば、検査対象内のある検査部位においてある種の欠陥が発見されると、ユーザは、その検査部位の内視鏡画像をフリーズして静止画を撮り、その検査部位についての検査評価結果の情報をその内視鏡画像に関連付けて記録することができる。
【００５１】
その検査部位の状態には、例えば、部品の交換が必要な状態であるとき、部品の補修が必要な状態であるとき、修理が必要はないが次回の検査時に確認が必要な状態であるとき、全く問題がない状態であるとき、など種々の状態がある。ユーザは、内視鏡画像を記録するとき、検査部位の状態についての評価情報を、内視鏡画像の検査データに関連付けてあるいは検査データに含ませて記憶媒体２ｃに記憶することができる。
【００５２】
例えば、特開２０１５−６６２３６号公報にあるように、検査データのファイル名にその評価情報を含めることようにしてもよい。  
図５は、評価情報を含むファイル名の構成例を示す図である。
【００５３】
ファイル名２１は、検査データが格納されるフォルダ情報２２と、評価情報としてのファイルマーク２３と、連番を示す部分２４とを含む。  
フォルダ情報２２は、図４に示すフォルダ構造中のフォルダ名を含む。図４において点線で示すように、フォルダツリー構造が２階層以上の階層を有するときは、フォルダ情報２２は、画像データが格納されるフォルダを特定するために複数の階層のフォルダ名を含む。
【００５４】
ファイルマーク２３は、検査評価結果を示す。ファイルマーク２３は、検査結果を示す文字からなる検査結果情報である。検査結果情報は、ユーザが内視鏡検査において判定した判定結果の情報である。例えば、ファイル名中のファイルマーク２３が「Ａ」であれば、その内視鏡画像に写った検査部位の部分は「問題無し」とユーザが判定したことを意味する。ファイル名中のファイルマーク２３が「Ｂ」であれば、その内視鏡画像に写った検査部位の部分はその部品の交換が必要な「要交換」であるとユーザが判定したことを意味する。ファイル名中のファイルマーク２３が「Ｃ」であれば、その内視鏡画像に写った検査部位の部分は「要補修」であるとユーザが判定したことを意味する。ファイル名中のファイルマーク２３が「Ｄ」であれば、その内視鏡画像に写った検査部位の部分は「要再検査」であるとユーザが判定したことを意味する。  
【００５５】
ファイルマーク２３は、例えば、内視鏡画像の検査データを記録するときに、ユーザが入力することによって書き込まれる。
フォルダ中に内視鏡画像が初めて記録されると、連番を示す部分２４は「００１」となり、その後に内視鏡画像が追加される度に、連番は、「１」ずつインクリメントされる識別情報である。  
さらに、ファイル名には、「jpg」などの、ファイルの種類を識別するための文字列である拡張子の部分が付加される。
【００５６】
また、ユーザは、検査データを記録するときに、コメントを付加することができる。図示しないコメント入力ウインドウを表示させ、ユーザは、任意のコメントをテキストデータにより入力して、検査データに関連付けて記憶することもできる。
【００５７】
よって、ユーザは、検査対象を検査するとき、当該検査対象に応じて設定されたフォルダツリー構造を有するフォルダ群を記憶媒体２ｃに格納してから、検査を開始する。ユーザは、検査対象の各検査部位を観察し、観察中に必要な検査部位を撮像して、内視鏡画像として記憶媒体２ｃに記録していく。各内視鏡画像を記録するとき、評価情報として、ここではファイルマークを選択する。このようにして、各部位の内視鏡画像が、検査データとして記憶媒体２ｃに記録される。
【００５８】
検査が終了したとき、検査データは、内視鏡装置２の記憶媒体２ｃに格納されている。ユーザは、検査後、検査データをクラウド５ａ上のサーバ５にアップロードする。上述したように、アップロードは、例えば、内視鏡装置２あるいはタブレット端末６からネットワーク３を介してサーバ５へ検査データを送信することによって行われる。
【００５９】
検査対象の検査は、検査対象のシリアル番号などの識別情報を用いて行われるので、検査識別情報、すなわち検査ＩＤを特定して、検査データをサーバ５へアップロードをすることにより、検査データは、検査対象に紐付けされてサーバ５に登録される。
【００６０】
上述したように、アップロードされた検査データは、検査対象４の構成に応じて予め設定されたフォルダツリーの複数のフォルダに格納されたデータである。検査データは、各検査部位について１又は２以上の内視鏡画像と、各内視鏡画像中の検査部位についてのファイルマークとを含む。
【００６１】
また、後述するように、ユーザは、クラウド５ａ上の検査データを用いて検査レポートを作成することもできる。そして、その作成された検査レポートも、検査データと共に、検査データと関連付けられてサーバ５に保存される。
【００６２】
以上のように、複数の検査対象の検査データがクラウド５ａ上に格納され、各検査データは、予め決められたフォルダ構成に従って格納される。
（作用）
ユーザは、クラウド５ａ上のサーバ５に蓄積された検査データに対して、各種処理を行うことができる。例えば、ユーザは、サーバ５にアップロードした検査データの確認、検査レポートの作成などの処理を行う。
【００６３】
図６は、ユーザが使用する端末装置における処理の流れの例を示すフローチャートである。  
はじめに、ユーザは、内視鏡装置２、タブレット端末６あるいはスマートフォン７などの端末装置を操作して、クラウド５ａ上の検査データ管理サイトにアクセスする。検査データ管理サイトは、サーバ５に設けられている。以下、端末装置がタブレット端末６である場合を説明する。
【００６４】
ユーザは、所定のサイトにアクセスすることにより、タブレット端末６の画面上にメニュー画面が表示され、そのメニュー画面から所望のコマンドを入力して、所望の検査データを見たり、編集したりすることができる。
【００６５】
図６は、ユーザがデータ要求コマンド等の各種コマンドを入力したときの、タブレット端末６における処理の流れの例を示すフローチャートである。ユーザがタブレット端末６からサーバ５の所定のサイトにアクセスすると、表示器６ｂにメニュー画面等のグラフィカルユーザインターフェース（以下、ＧＵＩという）画面が表示される。図６の処理は、ユーザがそのメニュー画面に対する操作より実行される。
【００６６】
図６において、タブレット端末６のプロセッサ６ａは、検査データに対するコマンドの入力があったか否かを判定する（ステップ（以下、Ｓと略す）１）。表示器６ｂは、タッチパネル装置を有し、表示器６ｂに表示されたＧＵＩ画面により、ユーザは、各種コマンドをＧＵＩ画面に入力可能である。
【００６７】
検査データに対するコマンドの入力がなければ（Ｓ１：ＮＯ）、プロセッサ６ａは、何もしない。  
検査データに対するコマンドの入力があると（Ｓ１：ＹＥＳ）、プロセッサ６ａは、入力されたコマンドをサーバ５に送信する（Ｓ２）。
【００６８】
例えば、ユーザは、画面上に表示された検査データリストにおいて対象を選択して、メニュー画面に表示されたＧＵＩ部品の操作ボタンにタッチすることによりデータ要求コマンドは、サーバ５へ送信される。データ要求コマンドは、検査ＩＤなどを含む。サーバ５は、データ要求コマンドに基づいて、指定された検査データを抽出して、検査データを含む画像データをそのタブレット端末６へ送信する。
【００６９】
コマンドを送信した後、プロセッサ６ａは、コマンドに応じた画像データを受信して、表示器６ｂに画像データを表示する表示処理を実行する（Ｓ３）。  
Ｓ３の後は、Ｓ１の処理に戻り、Ｓ１からＳ３の処理が繰り返されることによって、ユーザは、所望の処理を行うことができる。
【００７０】
図７は、サーバ５における、タブレット端末６からの検査データのデータ要求コマンドに応じた処理の流れの例を示すフローチャートである。  
上述したように、ユーザは、タブレット端末６から、検査ＩＤを指定して検査データのデータ要求コマンドを送信する。検査ＩＤにより、検査対象のガスタービンエンジンの型番、シリアル番号、検査日などが特定される。
【００７１】
サーバ５は、検査データのデータ要求コマンドを受信したかを判定する（Ｓ１１）。サーバ５は、検査データのデータ要求コマンドを受信していなければ（Ｓ１１：ＮＯ）、処理は何もしない。
【００７２】
サーバ５は、検査データのデータ要求コマンドを受信すると（Ｓ１１：ＹＥＳ）、画面データの生成処理を実行する（Ｓ１２）。サーバ５は、データ要求コマンドに関わる検査データを記憶装置１２の検査データ保存部１２ｄから読み出して、画面データを生成する（Ｓ２）。Ｓ１２で生成される画面の構成については、後述する。
【００７３】
サーバ５は、生成した画面の画面データを、タブレット端末６へ送信する（Ｓ１３）。画面データは、後述する画面構成を有する画面を、タブレット端末６の表示器６ｂに表示するための画像データである。その結果、タブレット端末６の表示器６ｂには、所定の構成の画面が表示される。
【００７４】
タブレット端末６に表示された画面は、後述するようにＧＵＩ画面であり、ユーザは、ＧＵＩ画面上の各種操作ボタンなどを操作することによって所望のコマンドをサーバ５に送信して、サーバ５にさらなる処理の実行を要求することができる。
【００７５】
なお、ユーザが所定の終了ボタンなどを操作することによって、サーバ５は、表示器６ｂに表示された画面についての処理を終了する。  
端末装置の表示装置に表示された画面は、サーバ５において生成された画面であり、図６のような構成を有する。
【００７６】
図８は、サーバ５から受信した画像データに基づいて、タブレット端末６において表示される検査データ表示画面の構成を示す図である。  
検査データ表示画面Ｇは、ここでは３つの表示領域Ｇ１，Ｇ２，Ｇ３を有する。
【００７７】
第１の表示領域Ｇ１には、検査対象の構成を示す画像（以下、モデルの画像という）が表示される。
第２の表示領域Ｇ２には、第１の表示領域Ｇ１において選択された少なくとも１つの検査部位の検査データが表示される。検査データは、検査画像である内視鏡画像を含む。
【００７８】
第３の表示領域Ｇ３には、第１の表示領域Ｇ１に表示されている検査対象に関連する検査データであって、第２の表示領域Ｇ２に表示されている検査データよりも過去の検査データが表示される。過去の検査情報も、サーバ５に記憶されている。第３の表示領域Ｇ３の検査データは、第１の表示領域Ｇ１及び第２の表示領域Ｇ２と共に表示される。
【００７９】
後述するように、検査データ表示画面Ｇは、ユーザに情報を提示すると共に各種コマンドを入力させることができるＧＵＩである。よって、ユーザは、検査データ表示画面Ｇ上の操作ボタン、チェックボックスなどを選択することによって、所望の各種コマンドをサーバ５に送信することができる。検査データ表示画面Ｇの具体的な例は、後述する。
【００８０】
なお、本実施の形態では、検査データ表示画面Ｇにおいて、第２の表示領域Ｇ２は、第１の表示領域Ｇ１の下に配置され、第３の表示領域Ｇ３は、第１の表示領域Ｇ１と第２の表示領域Ｇ２の右側に配置されているが、これら３つの表示領域は、図８に示す配置以外の位置に配置するようにしてもよい。
【００８１】
図７に戻り、サーバ５は、Ｓ１３の後、ＧＵＩである検査データ表示画面Ｇを介して送信された各種コマンドに応じた各種処理を実行する（Ｓ１４）。
【００８２】
Ｓ１４における各種処理には、表示データの絞り込みのためのフィルタリング、選択された検査データを用いた検査レポートの作成、検査データの編集などが含まれる。検査レポートの作成は、レポート作成プログラム１２ｂにより作成される。よって、ユーザは、例えば、検査レポートを作成したり、作成された検査レポートをサーバ５に登録したり、編集後の検査データをサーバ５に登録したりすることができる。サーバ５では、作成された検査レポートは、データ要求コマンドに関わる検査データに関連付けて記憶装置１２の検査データ保存部１２ｄに格納される。サーバ５では、データ要求コマンドに関わる検査データは、編集後の検査データに変更される。
【００８３】
図９は、検査データ表示画面Ｇの具体的な構成例を示す図である。  
検査データ表示画面Ｇは、上部に、検査対象名を表示するタイトル表示部３１を有する。タイトル表示部３１には、検査データ表示画面Ｇに表示される検査データの検査対象の型番、シリアル番号、検査ＩＤなどの情報が表示される。
【００８４】
第１の表示領域Ｇ１は、検査対象の構成を示すモデルの画像を表示するモデル画像表示部３２を有する。モデルの画像は、検査対象の構成を示す外観図、断面図などである。図９では、ガスタービンエンジンの模式的な断面図が、モデルの画像として、モデル画像表示部３２に表示されている。  
なお、モデル画像表示部３２に表示されるモデルの画像は、図９に示したような模式的な図でもよいが、写真、３Ｄモデルにより生成された図形、ＣＡＤ図形などでもよい。
【００８５】
さらに、第１の表示領域Ｇ１は、検査対象の各検査部位の範囲を示す領域規定部３３を有している。図９では、領域規定部３３は、複数の二点鎖線である。ここでは、１つの検査部位は、２本の二点鎖線により区切られた領域である。
【００８６】
また、第１の表示領域Ｇ１は、各検査部位の領域名を表示する領域名表示部３４を有する。領域名表示部３４は、ここでは、５つの検査部位Ａ１〜Ａ５の領域名を有している。「Ａ１」〜「Ａ５」が、領域規定部３３により規定された５つの検査部位Ａ１〜Ａ５に対応して表示されている。  
なお、領域名表示部３４は、全ての領域の選択を示す表示「ＡＬＬ」も含んでいる。
【００８７】
さらに、第１の表示領域Ｇ１は、各検査部位を選択するための複数のチェックボックス３５を含む。ここでは、６つのチェックボックス３５が、５つの検査部位Ａ１〜Ａ５と、全ての領域を示す「ＡＬＬ」に対応して設けられている。各チェックボックス３５は、領域名表示部３４の各領域名の近傍に配置されている。
【００８８】
ユーザは、表示器６ｂに表示されている１つ又は２つ以上のチェックボックス３５をタッチすることによって、チェックボックス３５にチェックマークを入れることができる。ユーザは、チェックマークを付けることによって、チェックマークが付けられたチェックボックス３５に対応する検査部位を選択することができる。
【００８９】
第２の表示領域Ｇ２は、１又は２以上の検査データを表示する検査データ表示領域４１を有する。第２の表示領域Ｇ２に表示される検査データは、ユーザによりデータ要求コマンドにおいて指定された検査データである。  
検査データ表示領域４１に表示される各検査データは、画像表示領域４２と、ファイル名表示部４３と、コメント表示部４４と、日付表示部４５を含む。
【００９０】
なお、図９において、矢印Ｄで示す検査データは、動画データである。  
画像表示領域４２には、検査データの縮小された内視鏡画像が表示される。  
ファイル名表示部４３には、画像表示領域４２に表示された内視鏡画像のファイル名の全部又は一部が表示される。
【００９１】
コメント表示部４４には、ユーザにより入力されたコメントがあれば、そのコメントの全部又は一部が表示される。  
日付表示部４５には、画像表示領域４２に表示された内視鏡画像が撮られた日付が表示される。すなわち、検査対象の検査日が表示される。
【００９２】
さらに、各検査データには、チェックボックス４６が付加されている。図９では、各チェックボックス４６は、画像表示領域４２の近傍にあるいは隣接して設けられている。  
ユーザは、表示器６ｂに表示されているチェックボックス４６をタッチすることによって、チェックボックス４６にチェックマークを入れることができる。ユーザは、チェックマークを付けることによって、チェックマークが付けられたチェックボックス４６に対応する検査データを選択することができる。
【００９３】
さらに、第２の表示領域Ｇ２には、コマンド指定部４７が設けられている。コマンド指定部４７は、コンボボックスであり、ユーザは、カーソルを用いてドロップダウンすることにより、複数のコマンドを表示させて、その複数のコマンドの中から所望のコマンドを選択することができる。
【００９４】
また、第２の表示領域Ｇ２には、スクロールバー４８が設けられており、ユーザは、スクロールバー４８を用いて、第２の表示領域Ｇ２内の表示位置を変更することができる。
【００９５】
例えば、ユーザは、第１の表示領域Ｇ１に表示されたモデルの画像における検査部位を選択すると、第２の表示領域Ｇ２には、第１の表示領域Ｇ１において選択された検査部位の検査データが表示される。
【００９６】
図９では、第１の表示領域Ｇ１において５つの検査部位の中から２つの領域が選択されたことにより、第２の表示領域Ｇ２には、第１の表示領域Ｇ１において選択された２つの検査部位の検査データが表示されている。
【００９７】
ユーザは、他の検査部位の検査データを表示させたいときは、５つの検査部位中の他の検査部位を選択することにより、他の検査部位の検査データを第２の表示領域Ｇ２に表示させることができる。
【００９８】
ユーザは、全ての検査部位の検査データを表示させたいときは、「ＡＬＬ」に対応するチェックボックスにチェックを付けることにより、全ての検査部位の検査データを第２の表示領域Ｇ２に表示させることができる。  
以上のように、第２の表示領域Ｇ２に表示される第１の検査情報は、第１の表示領域Ｇ１において選択された少なくとも１つの検査部位に関連する画像を含む。
【００９９】
なお、第１の表示領域Ｇ１においていずれの検査部位も選択されていないときは、第２の表示領域Ｇ２には、デフォルトとして、例えば検査対象の全ての検査データがファイル名順に表示される。すなわち、検査データ表示画面Ｇが最初に表示されたとき、あるいはいずれの検査部位も選択されていないときは、第１の検査情報は、デフォルトで定められた、所定の条件で絞り込まれた情報が第２の表示領域Ｇ２に表示される。
【０１００】
例えば、所定の条件は、第２の表示領域Ｇ２に表示される第１の検査情報に含まれる、検査データに付加されたファイルマークなどの評価情報（Ａ，Ｂ，Ｃ，Ｄ）により規定される。あるいは、所定の条件は、第２の表示領域Ｇ２に表示される第１の検査情報に含まれる、検査データの日付情報により規定される。
【０１０１】
ユーザは、第２の表示領域Ｇ２に表示された検査データに対して、所望の処理を行うことができる。所望の処理の実行は、コマンド指定部４７において所望のコマンドを選択することによって指示することができる。
【０１０２】
例えば、ユーザは、所望のコマンドとしてレポート作成のコマンドを選択すると、第２の表示領域Ｇ２においてチェックボックス４６により選択された１又は２以上の検査データについての検査レポートの作成指示コマンドを、サーバ５へ送信することができる。あるいは、レポート作成のコマンドが選択されると、レポート作成プログラム１２ｂにより、第１の表示領域Ｇ１に表示された複数の検査部位の中から選択された１又は２以上の検査部位についての検査レポートが作成される。
【０１０３】
すなわち、プロセッサは、第１の表示領域Ｇ１に表示された複数の検査部位の中から選択された１又は２以上の検査部位の検査情報又は第２の表示領域Ｇ２に表示された第１の検査情報の中から選択された１又は２以上の検査情報に基づいて、検査レポートを作成する。
【０１０４】
その結果、サーバ５は、所定のテンプレートを利用した検査レポートを作成し、記憶装置１２ｄに格納する。格納されたレポートは、別途、ユーザがタブレット端末６から参照することもできる。
【０１０５】
第３の表示領域Ｇ３は、上述したように、第１の表示領域Ｇ１に表示されているモデルに関連する検査データであって、第２の表示領域Ｇ２に表示されている検査データよりも過去の検査データが表示される。
【０１０６】
図９では、第１の表示領域Ｇ１において２つの検査部位Ａ１，Ａ２が選択されているので、第３の表示領域Ｇ３には、それら２つの検査部位に関連する過去の検査データが表示される。
【０１０７】
第３の表示領域Ｇ３には、第１の表示領域Ｇ１に表示されているモデルに関連する過去の検査データの全てを表示するようにしてもよいが、ここでは、ファイルマークによる評価情報に基づいて選択された過去の検査データだけが表示されている。
【０１０８】
例えば、選択された２つの検査部位に関連して、過去の複数の日付における検査データが検査データ保存部１２ｄに格納されているとき、過去のデータの中で評価が最も低い検査データでかつ検査の日付が最新の検査データが選択されて、第３の表示領域Ｇ３に表示される。
【０１０９】
第３の表示領域Ｇ３に表示される検査データも、第２の表示領域Ｇ２における検査データと同様の、画像表示領域５１と、ファイル名表示部５２と、コメント表示部５３と、日付表示部５４を含む。
【０１１０】
また、第３の表示領域Ｇ３には、スクロールバー５５が設けられており、ユーザは、スクロールバー５５を用いて第３の表示領域Ｇ３内の表示位置を変更することができる。  
図１０は、図７における画像データの生成処理（Ｓ１２）の流れの例を示すフローチャートである。
【０１１１】
サーバ５は、検査データのデータ要求コマンドを受信すると、第１の表示領域Ｇ１の画像を生成する（Ｓ２１）。Ｓ２１では、サーバ５は、データ要求コマンドにより特定された検査データに関する、図９に示す第１の表示領域Ｇ１に示す画像を生成する。
【０１１２】
第１の表示領域Ｇ１に示す画像は、モデル画像表示部３２、領域規定部３３、領域名表示部３４及び複数のチェックボックス３５を含む。特に、モデル画像表示部３２には、検査対象のモデルの画像が表示される。  
すなわち、Ｓ２１の処理は、複数の検査部位を含む検査対象のモデルの画像を、タブレット端末６の表示器６ｂの第１の表示領域Ｇ１に表示させる。
【０１１３】
サーバ５は、第１の表示領域Ｇ１においてチェックボックス３５により選択された検査部位についての検査データを抽出する（Ｓ２２）。サーバ５は、検査データ保存部１２ｄに格納されている検査データの中から、選択された検査部位についての検査データを抽出する。
【０１１４】
Ｓ２２の後、サーバ５は、抽出した検査データを用いて、図９に示す第２の表示領域の画像を生成する（Ｓ２３）。  
すなわち、Ｓ２３の処理は、第１の表示領域Ｇ１に表示されたモデルの画像中の複数の検査部位の中から選択された少なくとも１つの検査部位に関連する第１の検査情報を、タブレット端末６の表示器６ｂの第２の表示領域Ｇ２に表示させる。
【０１１５】
また、サーバ５は、Ｓ２１の後、第１の表示領域Ｇ１においてチェックボックス３５により選択された検査部位についての過去の検査データを所定の条件で抽出する（Ｓ２４）。サーバ５は、検査データ保存部１２ｄに格納されている当該検査対象の過去の検査データの中から、チェックボックス３５により選択された検査部位についての検査データを所定の条件で抽出する。
【０１１６】
Ｓ２４における抽出条件は、予め設定されており、ユーザにより設定変更が可能である。例えば、抽出条件は、上述したような、過去のデータの中で評価が最も低い検査データでかつ検査の日付が最新の検査データを抽出することである。
【０１１７】
なお、Ｓ２４において、サーバ５は、第２の表示領域Ｇ２においてチェックボックス４６により選択された検査データについての過去の検査データを所定の条件で抽出するようにしてもよい。
【０１１８】
例えば、各検査データが検査部位中の位置情報を有する場合は、抽出条件を、第２の表示領域Ｇ１においてチェックボックス４６により選択された検査データの位置に近い位置の検査データを抽出することにする。
【０１１９】
すなわち、第３の表示領域Ｇ３に表示される第２の検査情報は、第２の表示領域Ｇ２において選択された検査情報に含まれる画像に写る検査対象の部分に近い部分の画像を含むようにしてもよい。
【０１２０】
その結果、ユーザは、選択された検査データの画像が撮られた位置の近傍の過去の検査データを見ることができる。  
Ｓ２４の後、サーバ５は、抽出した過去の検査データを用いて、図９に示す第３の表示領域Ｇ３の画像を生成する（Ｓ２５）。
【０１２１】
すなわち、Ｓ２５の処理は、検査対象のモデルに関連する第２の検査情報として、第１の検査情報よりも過去の検査情報を、タブレット端末６の表示器６ｂの第３の表示領域Ｇ３に表示させる。
【０１２２】
Ｓ２３とＳ２５の後、サーバ５は、Ｓ２１，Ｓ２３及びＳ２５で生成された３つの表示領域の画像を合成して、図９に示すような検査データ表示画面Ｇを生成する（Ｓ２６）。  
Ｓ２６により、図９に示す検査データ表示画面Ｇが生成され、タブレット端末６に送信される。タブレット端末６には、図９に示す検査データ表示画面Ｇが表示される。すなわち、Ｓ２６の処理は、第１の検査情報よりも過去の検査情報を、第１の表示領域Ｇ１及び第２の表示領域Ｇ２と同時に第３の表示領域Ｇ３に表示させる。
【０１２３】
図９では、第３の表示領域Ｇ３に表示される第２の検査情報は、第１の表示領域Ｇ１において選択された少なくとも一つの検査部位に関連する画像を含む。  
図９の場合、２つの検査部位Ａ１，Ａ２に関連して、複数の過去の時点における検査データが検査データ保存部１２ｄに格納されているとき、過去のデータの中で評価が最も低い検査データの中から、日付が最新の検査データが選択されて、第３の表示領域Ｇ３に表示される。
【０１２４】
すなわち、第３の表示領域Ｇ３に表示される第２の検査情報は、過去の検査情報の中において、最も新しい画像であって、所定の評価情報において所定のレベル以下の評価が付けられた画像を含む。
【０１２５】
このような、過去のデータの中で最も日付が最新の検査データの中から、評価が最も低い検査データを、第３の表示領域Ｇ３に表示することにより、ユーザは、当該検査において、最も注意すべき検査部位を認知して、問題の箇所を確実に検査し、正しく評価することができる。特に、検査データに評価情報を含ませることにより、ユーザは、当該検査における評価を、前回の評価情報を参考に付けたり、前回の評価に対するフィードバックをすることも可能である。
【０１２６】
なお、第３の表示領域Ｇ３に表示される第２の検査情報は、過去の検査情報の中から、ファイルマークなどの所定の評価情報のみに基づいて選択された画像を含むようにしてもよい。特に、第３の検査情報は、ファイルマークで示された評価結果の中で所定のレベル以下の評価が付けられた画像だけを含むようにしてもよい。
【０１２７】
さらになお、第２の検査情報は、第１の表示領域Ｇ１において欠陥として判定されて記録された欠陥領域を含む画像を含むようにしてもよい。欠陥領域を含む画像であるか否かは、例えば、ファイルマークにより判定することができる。
【０１２８】
また、第３の表示領域Ｇ３に表示される第２の検査情報は、過去の検査情報の中において、最も新しい画像でもよい。  
さらにまた、第３の表示領域Ｇ３に表示される第２の検査情報は、検査対象に関連する検査レポートの中から所定の条件で抽出された画像でもよい。例えば、複数の検査レポートが存在するとき、最新の検査レポートの中でも、評価結果が最も悪い検査データの画像が、第３の表示領域Ｇ３に表示されるようにしてもよい。
【０１２９】
なお、検査データ表示画面Ｇに、過去の検査レポートを表示する第４の表示領域Ｇ４を含めるようにしてもよい。  
図１１は、第４の表示領域Ｇ４を含む検査データ表示画面Ｇの具体的な構成例を示す図である。
【０１３０】
図１１に示す検査データ表示画面Ｇは、検査データ表示画面Ｇの右下部分に、第４の表示領域Ｇ４を有する。  
第４の表示領域Ｇ４には、過去の検査レポートの内容そのもの、あるいは所定の条件でＳ抽出された検査レポート中の画像が表示される。第４の表示領域Ｇ４には、スクロールバー５５Ａが設けられており、ユーザは、スクロールバー５５Ａを用いて、第４の表示領域Ｇ４内の表示位置を変更することができる。
【０１３１】
例えば、図１１の場合、２つの検査部位Ａ１，Ａ２に関連して、複数の過去の時点における複数の検査レポートが検査データ保存部１２ｄに格納されているとき、過去の検査レポートの中から、日付が最新の検査レポートが選択されて、第４の表示領域Ｇ４に表示される。
【０１３２】
すなわち、サーバ５のプロセッサに、検査対象に関連する検査レポートの中から抽出された画像を、第４の表示領域Ｇ４に表示させるようにしてもよい。  
ユーザは、必要に応じて過去の検査レポートの見ることができるので、過去の検査レポートの検査結果を比較しながら、現在検査している検査対象の検査の評価を行うことができる。
【０１３３】
なお、図１１では、第４の表示領域Ｇ４は、第３の表示領域Ｇ３に隣接して配置されているが、第３の表示領域Ｇ３から離れて位置に配置したり、第３の表示領域Ｇ３内に配置したりしてもよい。
【０１３４】
さらになお、図１１では、第４の表示領域Ｇ４に過去の検査レポートの内容が表示されるが、第４の表示領域Ｇ４には、過去の検査レポートを参照するためのリンク情報だけが表示されるようにしてもよい。
【０１３５】
例えば、ユーザは、リンク情報の部分がタッチされて選択されると、過去の検査レポートの中から所定の条件で抽出された画像が、ポップアップウインドウなどに表示される。すなわち、検査レポートの中から抽出された画像が、第３の表示領域Ｇ３に表示されたリンク情報が選択されたときに、表示されるようにしてもよい。
【０１３６】
以上のように、上述した実施の形態によれば、ある検査の情報を表示させるときに当該検査と関連する過去の検査情報を簡単に参照できる検査画像表示制御方法、検査画像表示制御装置及び検査画像表示制御システムを提供することができる。
【０１３７】
結果として、ユーザは、過去で問題になった検査データを見て、当該検査の評価をすることができるので、検査データに対する評価のばらつきを小さくすることができる。  
また、第３の表示領域Ｇ３に、過去の検査において評価の低い検査データを表示するようにすれば、ユーザは、過去において問題になった検査データについての見逃しを防ぐことができる。
【０１３８】
さらに、上述した実施の形態では、検査データは、クラウド５ａ上のサーバ５内に格納され、ユーザはクラウド５ａ上でデータの編集、レポート作成等の各種処理を行うことができるので、便利である。
【０１３９】
上述した実施の形態では、図１０の処理を実行するサーバ５は、外部機器の表示器に、検査データ表示画面Ｇを表示させる検査画像表示装置を構成するが、図１０の処理の一部を、タブレット端末６などの外部機器に実行させるようにしてもよい。
【０１４０】
なお、上述した実施の形態は、検査対象として、発電用のガスタービンエンジンを例として説明したが、検体対象は、航空機用のエンジン、工場における各種設備などでもよい。
【０１４１】
さらに、上述した実施の形態では、内視鏡装置を用いた検査について説明したが、上述した実施の形態は、超音波画像を出力する超音波検査装置などの内視鏡装置以外の検査装置を用いた検査にも適用可能である。
【０１４２】
本発明は、上述した実施の形態に限定されるものではなく、本発明の要旨を変えない範囲において、種々の変更、改変等が可能である。
【符号の説明】
【０１４３】
１  検査画像表示制御システム、２  内視鏡装置、２ａ  挿入部、２ｂ  モニタ、２ｃ  記憶媒体、３  ネットワーク、３ａ  インターネット、４  検査対象、５  サーバ、５ａ  クラウド、６  タブレット端末、６ａ  プロセッサ、６ｂ  表示器、７  スマートフォン、１１  プロセッサ、１２  記憶装置、１２  検査データ保存部、１２ａ  データ管理プログラム、１２ｂ  レポート作成プログラム、１２ｃ  検査画像表示制御プログラム、１２ｄ  検査データ保存部、１２ｄ  記憶装置、１３  通信ユニット、２１  ファイル名、２２  フォルダ情報、２３  ファイルマーク、２４  連番を示す部分、３１  タイトル表示部、３２  モデル画像表示部、３３  領域規定部、３４  領域名表示部、３５  チェックボックス、４１  検査データ表示領域、４２  画像表示領域、４３  ファイル名表示部、４４  コメント表示部、４５  日付表示部、４６  チェックボックス、４７  コマンド指定部、４８  スクロールバー、５１  画像表示領域、５２  ファイル名表示部、５３  コメント表示部、５４  日付表示部、５５、５５Ａ  スクロールバー。
【図１】
2019200463.tif 000003
【図２】
2019200463.tif 000004
【図３】
2019200463.tif 000005
【図４】
2019200463.tif 000006
【図５】
2019200463.tif 000007
【図６】
2019200463.tif 000008
【図７】
2019200463.tif 000009
【図８】
2019200463.tif 000010
【図９】
2019200463.tif 000011
【図１０】
2019200463.tif 000012
【図１１】
2019200463.tif 000013